(57)【特許請求の範囲】
【請求項１】
ベッドフレームと、
このベッドフレームに固定される固定床部及びこの固定床部に回動可能に連結された背上げ床部を有し、この背上げ床部が中央部及びこの中央部の幅方向両側に回動可能に連結された一対の側部とによって形成された床板体と、
駆動部、この駆動部によって回転駆動される回転軸及びこの回転軸の両端部に一端を連結した背上げアームを有し、この背上げアームを上記背上げ床部の下面に対向させて上記ベッドフレームに設けられた背上げ機構と、
上記背上げアームに設けられこの背上げアームを起立方向に回動させたときに上記背上げ床部の中央部の下面を押圧してこの背上げ床部を起立方向に回動上昇させる背上げローラと、
上記背上げ床部の上記側部の下面に上記床板体の幅方向と交差する長手方向に沿って設けられた突条部と、
上記背上げアームに設けられこの背上げアームを起立方向に回動させて上記背上げ床部を起上させたときに上記突条部を押圧して上記背上げ床部の側部を上記中央部に対して所定の角度で屈曲させる押し上げローラを具備し、
上記背上げ床部の中央部と側部とは、合成樹脂によって一体成形されるとともに、側部が中央部に対して上面側にだけ回動可能に連結され、上記突条部は上記側部と一体成形されていることを特徴とする背上げ式ベッド装置。
【請求項２】
ベッドフレームと、
このベッドフレームに固定される固定床部及びこの固定床部に回動可能に連結された背上げ床部を有し、この背上げ床部が中央部及びこの中央部の幅方向両側に回動可能に連結された一対の側部とによって形成された床板体と、
駆動部、この駆動部によって回転駆動される回転軸及びこの回転軸の両端部に一端を連結した背上げアームを有し、この背上げアームを上記背上げ床部の下面に対向させて上記ベッドフレームに設けられた背上げ機構と、
上記背上げアームに設けられこの背上げアームを起立方向に回動させたときに上記背上げ床部の中央部の下面を押圧してこの背上げ床部を起立方向に回動上昇させる背上げローラと、
上記背上げ床部の上記側部の下面に上記床板体の幅方向と交差する長手方向に沿って設けられた突条部と、
上記背上げアームに設けられこの背上げアームを起立方向に回動させて上記背上げ床部を起上させたときに上記突条部を押圧して上記背上げ床部の側部を上記中央部に対して所定の角度で屈曲させる押し上げローラを具備し、
上記押し上げローラは、上記突条部に対して接触状態から非接触状態に退避可能に設けられていることを特徴とする背上げ式ベッド装置。
【請求項３】
ベッドフレームと、
このベッドフレームに固定される固定床部及びこの固定床部に回動可能に連結された背上げ床部を有し、この背上げ床部が中央部及びこの中央部の幅方向両側に回動可能に連結された一対の側部とによって形成された床板体と、
駆動部、この駆動部によって回転駆動される回転軸及びこの回転軸の両端部に一端を連結した背上げアームを有し、この背上げアームを上記背上げ床部の下面に対向させて上記ベッドフレームに設けられた背上げ機構と、
上記背上げアームに設けられこの背上げアームを起立方向に回動させたときに上記背上げ床部の中央部の下面を押圧してこの背上げ床部を起立方向に回動上昇させる背上げローラと、
上記背上げ床部の上記側部の下面に上記床板体の幅方向と交差する長手方向に沿って設けられた突条部と、
上記背上げアームに設けられこの背上げアームを起立方向に回動させて上記背上げ床部を起上させたときに上記突条部を押圧して上記背上げ床部の側部を上記中央部に対して所定の角度で屈曲させる押し上げローラを具備し、
上記突条部は、長手方向一端部に上記側部の下面に対して次第に高さが高くなる傾斜部及びこの傾斜部に連続して上記側部の下面に対してほぼ同じ高さの平坦部とを有し、
上記押し上げローラは、上記背上げアームを起立方向に回動させるにつれて上記傾斜部から平坦部に沿って転接するとともに、上記背上げアームに折り曲げ可能に設けられた折り曲げ軸に回転可能に設けられ、
上記背上げ床部の側部を屈曲させないときには上記折り曲げ軸を折り曲げることで、上記押し上げローラが上記突条部に接触不能となる構成であることを特徴とする背上げ式ベッド装置。
【発明の詳細な説明】
【０００１】
【発明の属する技術分野】
この発明は自力で起き上がることが困難な利用者などが利用するのに好適する背上げ式ベッド装置に関する。
【０００２】
【従来の技術】
たとえば、ベッド装置の利用者が自力で起き上がることが困難な場合、ベッドフレームに設けられる床板体を複数に分割し、そのうちの１つの利用者の上半身に対応する部分を背上げ床部とし、この背上げ床部を回動可能に設ける。
【０００３】
上記ベッドフレームには背上げ機構を設け、この背上げ機構によって上記背上げ床部を起伏させることができるようにする。それによって、上記背上げ床部を背上げ機構により起上させれば、利用者は背上げ床部により上半身を起こすことができる。
【０００４】
利用者が背上げ床部によって上半身を起こされるときや起こされた後で、上半身が側方に倒れる虞がある。そこで、特公平６−１１２８１号公報に示されるベッドが提案されている。
【０００５】
上記公報に示されたベッドは、背ボトム（背上げ床部）の枠体の両側に側枠体を設ける一方、背上げ機構の背上げリンク（背上げアーム）に連動リンクを介して上記側枠体の下面に当接して支持する側枠体リンクを連動可能に連結し、背ボトムの枠体の起伏に連動して側枠体リンクを介し側枠体を屈曲動作させるようにしている。
【０００６】
したがって、ベッドの背上げ時や背上げ後に、利用者が側方に倒れるようなことがあっても、背上げとともに連動屈曲した側枠体によって利用者の身体を保持することができるようになっている。
【０００７】
【発明が解決しようとする課題】
このような従来構造のベッドによれば、背上げ時などに利用者の上半身が側方に倒れるのを防止することができる。しかしながら、背上げ時に側枠体を屈曲させるために、背ボトムを起上させる背上げリンクの他に、この背上げリンクに連動する連動リンク及びこの連動リンクに連動して上記側枠体を屈曲させる側枠体リンクを有する構成となっている。
【０００８】
そのため、背上げ時に側枠体を屈曲させるために複数のリンクを用いなければならないため、構成の複雑化や部品点数の増大によるコストの上昇を招くということがあった。
【０００９】
この発明は、背上げ床部の中央部の両側に屈曲可能に設けられた側部を、背上げ時に背上げ床部を起上させる背上げアームによって床板体の上面側に屈曲させることができるようにした背上げ式ベッド装置を提供することにある。
【００１０】
【課題を解決するための手段】
請求項１の発明は、ベッドフレームと、
このベッドフレームに固定される固定床部及びこの固定床部に回動可能に連結された背上げ床部を有し、この背上げ床部が中央部及びこの中央部の幅方向両側に回動可能に連結された一対の側部とによって形成された床板体と、
駆動部、この駆動部によって回転駆動される回転軸及びこの回転軸の両端部に一端を連結した背上げアームを有し、この背上げアームを上記背上げ床部の下面に対向させて上記ベッドフレームに設けられた背上げ機構と、
上記背上げアームに設けられこの背上げアームを起立方向に回動させたときに上記背上げ床部の中央部の下面を押圧してこの背上げ床部を起立方向に回動上昇させる背上げローラと、
上記背上げ床部の上記側部の下面に上記床板体の幅方向と交差する長手方向に沿って設けられた突条部と、
上記背上げアームに設けられこの背上げアームを起立方向に回動させて上記背上げ床部を起上させたときに上記突条部を押圧して上記背上げ床部の側部を上記中央部に対して所定の角度で屈曲させる押し上げローラを具備し、
上記背上げ床部の中央部と側部とは、合成樹脂によって一体成形されるとともに、側部が中央部に対して上面側にだけ回動可能に連結され、上記突条部は上記側部と一体成形されていることを特徴とする背上げ式ベッド装置にある。
【００１１】
請求項２の発明は、ベッドフレームと、
このベッドフレームに固定される固定床部及びこの固定床部に回動可能に連結された背上げ床部を有し、この背上げ床部が中央部及びこの中央部の幅方向両側に回動可能に連結された一対の側部とによって形成された床板体と、
駆動部、この駆動部によって回転駆動される回転軸及びこの回転軸の両端部に一端を連結した背上げアームを有し、この背上げアームを上記背上げ床部の下面に対向させて上記ベッドフレームに設けられた背上げ機構と、
上記背上げアームに設けられこの背上げアームを起立方向に回動させたときに上記背上げ床部の中央部の下面を押圧してこの背上げ床部を起立方向に回動上昇させる背上げローラと、
上記背上げ床部の上記側部の下面に上記床板体の幅方向と交差する長手方向に沿って設けられた突条部と、
上記背上げアームに設けられこの背上げアームを起立方向に回動させて上記背上げ床部を起上させたときに上記突条部を押圧して上記背上げ床部の側部を上記中央部に対して所定の角度で屈曲させる押し上げローラを具備し、
上記押し上げローラは、上記突条部に対して接触状態から非接触状態に退避可能に設けられていることを特徴とする背上げ式ベッド装置にある。
【００１２】
請求項３の発明は、ベッドフレームと、
このベッドフレームに固定される固定床部及びこの固定床部に回動可能に連結された背上げ床部を有し、この背上げ床部が中央部及びこの中央部の幅方向両側に回動可能に連結された一対の側部とによって形成された床板体と、
駆動部、この駆動部によって回転駆動される回転軸及びこの回転軸の両端部に一端を連結した背上げアームを有し、この背上げアームを上記背上げ床部の下面に対向させて上記ベッドフレームに設けられた背上げ機構と、
上記背上げアームに設けられこの背上げアームを起立方向に回動させたときに上記背上げ床部の中央部の下面を押圧してこの背上げ床部を起立方向に回動上昇させる背上げローラと、
上記背上げ床部の上記側部の下面に上記床板体の幅方向と交差する長手方向に沿って設けられた突条部と、
上記背上げアームに設けられこの背上げアームを起立方向に回動させて上記背上げ床部を起上させたときに上記突条部を押圧して上記背上げ床部の側部を上記中央部に対して所定の角度で屈曲させる押し上げローラを具備し、
上記突条部は、長手方向一端部に上記側部の下面に対して次第に高さが高くなる傾斜部及びこの傾斜部に連続して上記側部の下面に対してほぼ同じ高さの平坦部とを有し、
上記押し上げローラは、上記背上げアームを起立方向に回動させるにつれて上記傾斜部から平坦部に沿って転接するとともに、上記背上げアームに折り曲げ可能に設けられた折り曲げ軸に回転可能に設けられ、
上記背上げ床部の側部を屈曲させないときには上記折り曲げ軸を折り曲げることで、上記押し上げローラが上記突条部に接触不能となる構成であることを特徴とする背上げ式ベッド装置にある。
【００１６】
この発明によれば、背上げアームに背上げローラと押し上げローラとを設けたから、背上げ時には背上げ床部を起上させながら上記押し上げローラによって背上げ床部の中央部の両側に設けられた側部を屈曲させることができる。
【００１７】
【発明の実施の形態】
以下、図面を参照しながらこの発明の一実施の形態を説明する。
【００１８】
図１はこの発明の背上げ式ベッド装置の分解斜視図であり、この背上げ式ベッド装置はベ−スフレ−ム１を備えている。このベ−スフレ−ム１はそれぞれ一対の長尺杆２と短尺杆３とを矩形枠状に配置し、これらの隣り合う端部を第１の連結部材４で連結して形成されている。上記長尺杆２と短尺杆３とは角筒状の部材が用いられている。
【００１９】
上記第１の連結部材４は、下端にストッパ付きのキャスタ５が設けられ、上端には取付け部７が設けられている。この取付け部７には後述する上下駆動機構１１の回動駆動される各一対の第１、第２のア−ム１９ａ、１９ｂの端部が枢支される。
【００２０】
上記ベ−スフレ−ム１には上記上下駆動機構１１が設けられる。この上下駆動機構１１は図１に示すように駆動源１２を有する。この駆動源１２には駆動軸１３が取付けられ、この駆動軸１３は上記駆動源１２によって軸方向に進退駆動されるようになっている。
【００２１】
上記駆動軸１３の先端は連動杆１４の中途部に第１のブラケット１５を介して枢着されている。上記連動杆１４の一端と他端はそれぞれ回転軸１６ａ、１６ｂの中途部に設けられた第１のア−ム１７に枢着されている。一方の第１のア−ム１７の中途部には回転軸１６ａの周方向に対して上記第１のア−ム１７と所定の角度で第２のブラケット１８が設けられ、この第２のブラケット１８に上記駆動源１２が回動自在に取付けられている。なお、他方の第１のア−ム１７に対して上記連動杆１４の端部は連動部材２０を介して枢着されている。
【００２２】
一方の回転軸１６ａの両端部には上記第１のア−ム１９ａの一端が固着され、他方の回転軸１６ｂの両端には上記第２のア−ム１９ｂの中途部が固着されている。第１、２のア−ム１９ａ、１９ｂの他端は、上記第１の連結部材４に形成された取付け部７に図示しないピンによって回動可能に取付けられている。
【００２３】
上記構成の上下駆動機構１１によれば、駆動源１２が作動して駆動軸１３が突出方向に駆動されると、連動杆１４が図１に矢印で示す方向に移動するから、それによって一対の回転軸１６ａ、１６ｂが同図に矢印で示す時計方向に回転する。回転軸１６ａ、１６ｂが回転すれば、その回転に上記第２のア−ム１９ａ、１９ｂが連動するようになっている。
【００２４】
上記ベ−スフレ−ム１の上方には上記上下駆動機構１１によって上下駆動されるベッドフレームとしての上下フレ−ム３１が配置されている。この上下フレ−ム３１は上記ベ−スフレ−ム１と同様、２本の長尺杆３２と短尺杆３３とを矩形枠状に配置し、それらの隣り合う端部を第２の連結部材３４によって連結して形成されている。
【００２５】
上記第２の連結部材３４は、上下フレ−ム３１の幅方向両側に突出していて、その突出端部には図３に示すようにボ−ド体としてのヘッドボ−ド柵３７とフットボ−ド柵３８との下端部が挿入保持される保持孔３９が形成されている。つまり、上下フレ−ム３１の幅方向両側に設けられた一対の第２の連結部材３４の保持孔３９に上記各ボ−ド柵３７、３８の保持される。
【００２６】
図１に示すように、上記上下フレ−ム３１の長尺杆３２の長手方向両端部内面にはそれぞれ第３のブラケット４１が垂設されている。上下フレーム３１の長手方向一端部に設けられた一対の第３のブラケット４１には一方の回転軸１６ａの両端が図示しないピンによって回転可能に支持され、長手方向他端部の一対の第３のブラケット４１には他方の回転軸１６ｂの両端が図示しないピンによって回転可能に支持されている。
【００２７】
上記上下フレ−ム３１には背上げ機構５１が設けられる。この背上げ機構５１は箱形状の駆動部５２を有する。この駆動部５２の一側には駆動源５３が設けられ、長手方向一端部には第１の回転軸５４、他端部には第２の回転軸５５が設けられている。
【００２８】
上記第１の回転軸５４と第２の回転軸５５との両端部は、上記上下フレーム３１の一対の長尺杆２の内面に設けられた受け部５６に回転可能に支持される。それによって、背上げ機構５１は上記上下フレーム３１に支持されている。
【００２９】
上記第１の回転軸５４の両端部にはそれぞれ背上げアーム６１の基端部が固着されている。一対の背上げアーム６１は扁平状の角パイプによって形成され、これらの先端部はたとえば帯板などの連結部材６２によって連結されている。
【００３０】
一対の背上げアーム６１には、内側面の長手方向中途部と先端部とにそれぞれ背上げローラ６３が回転可能に取付けられ、外面側の中途部と先端部とには押し上げローラ６４が折り曲げ軸６５を介して回転可能に取付けられている。
【００３１】
上記折り曲げ軸６５は、図６（ａ），（ｂ）と図７（ａ），（ｂ）に示すように上記背上げアーム６１に折り曲げ可能に取付けられている。つまり、上記背上げアーム６１には取付けピン６６が幅方向に貫通して固着されている。背上げアーム６１の外側面に突出した取付けピン６６の頭部６７の外周面にはおねじ６８が形成されている。さらに、頭部６７には一対の取付け片６９（一方のみ図示）が突設され、これら取付け片６９に上記折り曲げ軸６５の基端部に形成された扁平部６５ａがピン７１によって枢着されている。
【００３２】
上記折り曲げ軸６５の中途部にはカラー７２がスライド可能に外嵌され、先端部には上記カラー７２よりも大径な上記押し上げローラ６４が回転可能に設けられている。上記カラー７２の基端部の内周面にはめねじ７３が形成されている。
【００３３】
上記カラー７２が図７（ｂ）に示すように折り曲げ軸６５に側にスライドさせたときには、この折り曲げ軸６５はピン７１を支点として取付けピン６６に対して折り曲げ可能となっている。図７（ａ）に示すようにカラー７２を取付けピン６６側にスライドさせ、その基端部のめねじ７３を取付けピン６６のおねじ６８に螺合させれば、このカラー７２によって上記折り曲げ軸６５がピン７１を支点として回動不能、つまり折り曲げ不能に保持されるようになっている。
【００３４】
図１に示すように、上記第２の回転軸５５の両端部には脚上げアーム７５の基端部が固着されている。この脚上げアーム７５の先端部には脚上げローラ７６が回転可能に取り付けられている。
【００３５】
上記上下フレーム３１の上面には床板体８１が載置され、この床板体８１の上面は図２と図３に示すようにマットレスＭが載置される。マットレスＭは屈曲可能な構造となっている。
【００３６】
上記床板体８１は上記上下フレーム３１に固定された固定床部８２を有する。この固定床部８２の一側には腰上げ床部８３と背上げ床部８４とが順次回動可能に連結されている。上記固定床部８２の他側には、第１の脚床部８５と第２の脚床部８６とが順次回動可能に連結されている。つまり、この実施の形態では、床板体８１は５つの部分に分割されている。
【００３７】
上記床板体８１の５つの部分は、合成樹脂をブロー成形して中空状に形成されている。そのうちの背上げ床部８４は、図４乃至図６に示すように中央部８４ａ及びこの中央部８４ａの幅方向両側に薄肉部８７によって回動可能に連結された一対の側部８４ｂとが一体成形されている。
【００３８】
上記薄肉部８７は屈曲可能であるとともに、中央部８４ａと側部８４ｂとの厚さ方向上端側を連結している。それによって、一対の側部８４ｂは、床板体８１の上面側には回動可能であるが、下面側には回動しない構造となっている。
【００３９】
図４に示すように、一対の側部８４ｂの下面には、背上げ床部８４を成形する際に、背上げ床部８４の回動の基端側となる一端部と、回動の先端側となる他端部とに、それぞれ一対の突条部８８が床板体８１の長手方向に沿って一体成形されている。
【００４０】
上記突条部８８は、背上げ床部８４の先端側となる一端部が側部８４ｂの下面に対して次第に高くなる傾斜部８８ａと、この傾斜部８８ａに連続するとともに側部８４ｂの下面に対し全長にわたってほぼ同じ高さの平坦部８８ｂとが形成されている。
【００４１】
上記背上げアーム６１が倒伏した状態において、この背上げアーム６１の外側面に設けられた一対の押し上げローラ６４は図５（ａ）に示すように、上記突条部８８の傾斜部８８ａの下端部に接触しており、背上げアーム６１が起立方向に回動すると、傾斜部８８ａを押圧しながら平坦部８８ｂへ移行する。
【００４２】
上記突条部８８は背上げ床部８４の側部８４ｂと合成樹脂によって一体成形したが、帯状の板材を山形状に屈曲して側部８４ｂの下面に取付け固定したり、押し上げローラ６４が転動するガイド溝を有する部材を側部８４ｂの下面に取付けるようにしてもよい。
【００４３】
上記背上げ床部８４の中央部８４ａの下面の幅方向両側には断面コ字状のガイドレール９１が長手方向に沿って設けられている。このガイドレール９１には上記背上げアーム６１の内側面に設けられた一対の背上げローラ６３が転動可能に係合している。
【００４４】
上記背上げアーム６１の内側面と外側面とに設けられた背上げローラ６３と押し上げローラ６４との軸芯は、図５（ｂ）に示すようにほぼ同じ高さに設定されている。それによって、背上げ床部８４がほぼ水平に倒伏した状態においては、その中央部８４ａと一対の側部８４ｂとはほぼ水平となっている。
【００４５】
上記上下フレーム３１の第２の脚床部８６と対応する部分には、線材をほぼコ字状に曲成した保持リンク９２が両端を回動可能に連結して設けられている。この保持リンク９２の中途部は上記第２の脚床部８６の下面に回動可能に連結されている。
【００４６】
なお、背上げ機構５１の第１、第２の回転軸５４，５５のうち、脚上げアーム７５が設けられた第２の回転軸５５は、図示しない選択機構によって選択的に回転させることができるようになっている。それによって、第２の回転軸５５を回転させずに、第１の回転軸５４だけを回転駆動することで、脚上げを行わず、背上げだけを行なうことができる。
【００４７】
このような構成のベッド装置によれば、背上げ機構５１の駆動源５３を作動させて背上げアーム６１と脚上げアーム７５とを起立方向に回動させると、ガイドレール９１に係合した背上げローラ６３がガイドレール９１を介して背上げ床部８４を押し上げるから、図３に示すように背上げ床部８４が腰上げ床部８３とともに起立方向に上昇する。
【００４８】
背上げアーム６１とともに脚上げアーム７５も起立方向に回動するから、この脚上げアーム７５に設けられた脚上げローラ７６は第１の脚床部８６を固定床部８２との連結端を支点として上昇方向に押し上げる。それによって、第１の脚床部８６に第２の脚床部８６が連動して上昇し、その上昇状態が保持リンク９２によって保持される。
【００４９】
したがって、背上げ床部８４により上半身が起こされた利用者Ｕは、への字状に屈曲した第１、第２の脚床部８５.８６によって脚部が屈曲保持されるから、臀部が前方へずれ動くことなく、上半身を起こした姿勢を楽に維持することができる。
【００５０】
背上げ床部８４を起立方向に回動させると、背上げアーム６１に設けられた押し上げローラ６４が背上げ床部８４の一対の側部８４ｂの突条部８８の傾斜部８８ａに圧接し、この傾斜部８８ａから平坦部８８ｂへと移動する。
【００５１】
上記傾斜部８８ａは側部８４ｂの下面に対して次第に高く傾斜している。そのため、背上げアーム６１が回動するにつれて、押し上げローラ６４が上記側部８４ｂを押し上げることになるから、一対の側部８４ｂは中央部８４ａとの連結された薄肉部８７を変形させて床板体８１の上面側へ屈曲する。
【００５２】
上記側部８４ｂを屈曲させれば、図２に示すようにマットレスＭも弾性的に屈曲する。図２は背上げ機構５１によって背上げだけを行ない、脚上げを行なわない状態を示している。
【００５３】
したがって、マットレスＭ上に仰臥した利用者Ｕは、背上げ時や背上げ後に、上半身の両側が上面側に屈曲した側部８４ｂによって保持されるから、自力で身体を保持することができないような状態であっても、側方へ倒れるのが防止される。
【００５４】
背上げ時に、上記背上げ床部８４の側部８４ｂを押し上げる押し上げローラ６４は、上記背上げアーム６１に折り曲げ可能に設けられた折り曲げ軸６５に設けられている。
【００５５】
そのため、折り曲げ軸６５を折り曲げれば、背上げ時に背上げ床部８４の側部８４ｂを上方へ屈曲させずに上昇させることができるから、利用者Ｕは選択的に利用することが可能となる。
【００５６】
なお、介護者が利用者Ｕを支持しながら背上げを行なうような場合などには、介護者が利用者を支持しやすいように、一対の背上げアーム６１のうちの、介護者側の一方の背上げアーム６１に設けられた押し上げローラ６４だけが突条部８８に当たらないよう、折り曲げ軸６５とともに折り曲げて使用することも可能である。図５（ｃ）は一対の側部８４ｂを屈曲させた状態を示し、図６（ａ）は一方の側部８４ｂだけを屈曲させた状態を示している。
【００５７】
このように、背上げアーム７５に背上げローラ６３と押し上げローラ６４とを設けるとともに、背上げ床部８４の側部８４ｂの下面に傾斜部８８ａと平坦部８８ｂとを有する突条部８８を設けた。
【００５８】
そして、背上げ時に上記背上げアーム７５を上昇方向に回動させたときに、背上げローラ６３が背上げ床部８４の中央部８４ａを押し上げるだけでなく、押し上げローラ６４によって上記突条部８８を介して側部８４ｂを屈曲させるようにした。
【００５９】
そのため、背上げアーム６１によって背上げ床部８４の背上げと、側部８４ｂの屈曲とを同時に行なうことができ、側部８４ｂを屈曲させるための専用のリンク機構を必要としないから、少ない部品点数で、簡単な構成とすることができる。
【００６０】
上記一実施の形態では床板体を５つの部分に分割したが、床板体は少なくとも上下フレームに固定される固定部と、この固定部に回動可能に連結される背上げ床部とを備えた構成であればよい。
【００６１】
また、背上げ機構の回転軸に２本の背上げアームを設けたが、背上げアームを一本とし、この背上げアームに背上げローラ及び背上げ時に背上げ床部の一対の側部を屈曲させる押し上げローラを設けるようにしてもよい。
【００６２】
上記押し上げローラを突条部に接触した状態から接触しない状態に退避させるために折り曲げ軸を用い、この折り曲げ軸を折り曲げるようにしたが、押し上げアームに押し上げローラを折り曲げ軸によって設ける代わりに、押し上げアームに折り曲げ不能な取付け軸を設け、この取付け軸に上記押し上げローラを上記突条部に接触する位置と、接触しない位置とにスライド可能かつ各位置で保持可能に設けるようにしてもよい。
【００６３】
また、上記押し上げローラを上記取付け軸に取り外し可能に設け、取付け軸から取り外すことで、突条部と接触しないよう退避させるようにしてもよい。
【００６４】
【発明の効果】
以上のようにこの発明によれば、背上げアームに背上げローラと押し上げローラとを設け、背上げ床部の中央部の両側に屈曲可能に連結された側部の下面には上記押し上げローラが当接する突条部を設けたから、背上げ時には上記押し上げローラによって背上げ床部の側部を押し上げて屈曲させることができる。
【００６５】
そのため、背上げ時に側部を屈曲させるための専用のリンク機構を必要としないから、構成の簡略化や部品点数の減少などにより、コストの低減を図ることができる。
【００６６】
さらに、突条部の傾斜部の傾斜角度や平坦部の高さを変えれば、背上げ床部を起上させたときに、その側部の屈曲角度を変えることができる。
【図面の簡単な説明】
【図１】この発明の一実施の形態の背上げ式ベッド装置の分解斜視図。
【図２】背上げ式ベッド装置を背上げした状態の斜視図。
【図３】背上げ式ベッド装置を背上げした状態の側面図。
【図４】背上げ床部の背上げ状態を示す斜視図。
【図５】（ａ）は背上げ床部の背上げ前の状態を実線で示す側面図、（ｂ）は図５（ａ）のＸ−Ｘ線に沿う側面図、（ｃ）は背上げ状態を示す側面図。
【図６】（ａ）は押し上げローラの一方を折り曲げ、他方を折り曲げない状態で背上げした側面図、（ｂ）は押し上げローラが設けられた折り曲げ軸の斜視図。
【図７】（ａ）は折り曲げ軸を折り曲げ不能に保持した状態の一部断面した平面図、（ｂ）は折り曲げ軸を折り曲げた状態の一部断面した平面図。
【符号の説明】
３１…上下フレーム（ベッドフレーム）
５１…背上げ機構
６１…背上げアーム
６３…背上げローラ
６４…押し上げローラ
８１…床板体
８２…固定床部
８４…背上げ床部
８４ａ…中央部
８４ｂ…側部
８７…薄肉部
８８…突条部
８８ａ…傾斜部
８８ｂ…平坦部
９１…ガイドレール
【図１】
0003910873.tif 000002
【図２】
0003910873.tif 000003
【図３】
0003910873.tif 000004
【図４】
0003910873.tif 000005
【図５】
0003910873.tif 000006
【図６】
0003910873.tif 000007
【図７】
0003910873.tif 000008